(57)【特許請求の範囲】
【請求項１】
本体と、前記本体に軸線回りに回転可能に連結され、且つ流体が流れるように構成されたコネクタによって、互いに取り外し可能に連結された掃除機ヘッドとを有し、前記コネクタは、前記本体に設けられた第１の部品と、前記掃除機ヘッドに設けられた第２の部品とを有し、前記第１の部品と前記第２の部品は、互いに対して連結可能であり、且つ前記軸線回りに互いに対して回動可能であり、前記本体及び前記掃除機ヘッドは、前記第１の部品と前記第２の部品とにそれぞれ設けられた第１の電気コネクタと第２の電気コネクタとを有し、前記第１の電気コネクタと前記第２の電気コネクタは、前記本体と前記掃除機ヘッドとの間を電気的に接続するように接続可能であり、前記第１の電気コネクタと前記第２の電気コネクタは、前記第１の部品と前記第２の部品のうちの一方のチャンネル内にあり、前記掃除機ヘッドが前記本体に対して前記軸線回りに回動するとき、前記摺動可能な電気コネクタが前記チャネルに沿って摺動する、表面処理用電気器具。
【請求項２】
前記チャネルは前記ヘッドに設けられ、また、前記第２の電気コネクタは前記チャネル内で摺動可能である、請求項１記載の表面処理用電気器具。
【請求項３】
前記チャネルは、少なくとも部分的に湾曲している又は弧状である、請求項１又は２記載の表面処理用電気器具。
【請求項４】
前記チャネルの少なくとも一部分は、前記チャネルの長さに沿って、前記軸線から実質的に一定の距離を置いたところに位置している、請求項３記載の表面処理用電気器具。
【請求項５】
前記第１の電気コネクタは、前記コネクタの前記第１の部品に対して固定されており、また、前記第２の電気コネクタは、前記コネクタの前記第２の部品に対して動くことができる、請求項１〜４のうちのいずれか一に記載の表面処理用電気器具。
【請求項６】
前記チャネルは、前記コネクタの前記第２の部品に隣接して設けられている、請求項１〜５のうちいずれか一に記載の表面処理用電気器具。
【請求項７】
前記コネクタの前記第２の部品は、前記第１の部品を受け入れるよう構成され且つ配置された円筒形部分を有し、前記チャネルは、前記円筒形部分の周囲に設けられている、請求項６記載の表面処理用電気器具。
【請求項８】
前記掃除機ヘッドはモータを更に有し、前記第２の電気コネクタは前記モータに連結されている、請求項１〜６のうちいずれか一に記載の表面処理用電気器具。
【請求項９】
本体と、前記本体に軸線回りに回転可能に連結され掃除機ヘッドとを有し、前記本体と前記掃除機ヘッドとは、流体が流れるように構成されたコネクタによって互いに取り外し可能に連結されており、前記コネクタは、前記本体に設けられた第１の部品と、前記掃除機ヘッドに設けられた第２の部品とを有し、前記第１の部品と前記第２の部品は、互いに対して連結可能であり、且つ前記軸線回りに互いに対して回動可能であり、前記本体には第１の電気コネクタが設けられており、前記掃除機ヘッドには第２の電気コネクタが設けられており、前記第１の電気コネクタと前記第２の電気コネクタは、前記本体と前記掃除機ヘッドとの間を電気的に接続するように接続可能であり、前記第２の電気コネクタは、前記第２の部品に形成されたチャネル内に位置しており、且つ、前記掃除機ヘッドが前記本体に対して前記軸線回りに回転するとき、前記第２電気コネクタが前記チャンネルに沿って動くように、前記掃除機ヘッドに対して前記チャネル内で摺動する、表面処理用電気器具。
【請求項１０】
前記チャネルは、少なくとも部分的に湾曲している又は弧状である、請求項９記載の表面処理用電気器具。
【請求項１１】
前記チャネルの少なくとも一部分は、前記チャネルの長さに沿って、前記軸線から実質的に一定の距離を置いたところに位置している、請求項１０記載の表面処理用電気器具。
【請求項１２】
前記第１の電気コネクタは、前記コネクタの前記第１の部品に対して固定されている、請求項９〜１１のうちのいずれか一に記載の表面処理用電気器具。
【請求項１３】
前記コネクタの前記第２の部品は、前記第１の部品を受け入れるよう構成され、且つ配置された円筒形部分を有し、また、前記チャネルは、前記円筒形部分の周囲に設けられている、請求項９〜１２のうちいずれか一に記載の表面処理用電気器具。
【請求項１４】
前記掃除機ヘッドは、モータを更に有し、前記第２の電気コネクタは、前記モータに連結されている、請求項９〜１３のうちいずれか一に記載の表面処理用電気器具。
【発明の詳細な説明】
【技術分野】
【０００１】
本発明は、表面処理用電気器具に関する。本発明は、特に、真空掃除機に関するが、これには限定されない。
【背景技術】
【０００２】
真空掃除機は、典型的には、直立形又は筒形のものである。直立形真空掃除機は、一般に、掃除機ヘッド及び本体を有する。掃除機ヘッドは、本体に枢動可能に取り付けられ、本体は、一対の車輪で支持され、又、本体は、ユーザが真空掃除機を操作することができるようにする取っ手を有する。掃除機ヘッドは、ハウジングを有し、吸入開口部が、床面に向いたハウジングの下方部分に形成されている。床面をかきまわして掃除の効率を高めるために、通常、ブラシバーが吸引開口部内に設けられている。ブラシバーは、空気タービンにより駆動される場合があり、空気タービンは、ブラシバーを回転させるために吸引開口部を介して真空掃除機内に引き込まれる空気流を利用する。変形例として、ブラシバーは、電気モータ、主真空モータに取り付けられたベルト又は専用ブラシバーモータによって駆動される場合がある。
【０００３】
専用ブラシバーモータを用いる場合、ブラシバーモータへの電気的接続部を設ける必要がある。しかしながら、掃除機ヘッドが本体に対して揺動し又は枢動することが必要な場合に問題が生じることがある。というのは、確実な電気的接続状態が揺動又は枢動可能な接続部について維持されなければならないからである。
【０００４】
電気的接続が切り離し可能であることが必要な場合、例えば、保管又は輸送目的のために真空掃除機の本体から取り外し可能な掃除機ヘッドの場合に別の問題が生じることがある。真空掃除機の取り外し可能な掃除機ヘッドと残部との間の公知の電気的接続部の一例が、米国特許第４，２０４，２９７号明細書に示されている。掃除機ヘッドは、専用ブラシモータを有し、この掃除機ヘッドは、回転可能な機械式継手によって真空掃除機の残部に取り付けられている。ブラシバーモータの電力コネクタは、機械式継手とは別個に切り離すことができるケーブルの形態をしている。かかる構成では、掃除機ヘッドを取り外すのに多くのステップが必要であり、これは、ユーザにとって不便である。
【０００５】
改良構成例が、米国特許第４，１４６，２８３号明細書に示されている。この特許文献は、真空掃除機の本体に取り外し可能に取り付けることができる電動式掃除機ヘッドを開示している。コネクタが、ヘッドを本体に取り付けるために設けられている。コネクタは、ヘッドを本体に取り付けると、本体に設けられている電気コネクタに対応関係をなして接続される電気コネクタを有している。回転可能な継手が、コネクタとヘッドとの間に形成されている。回転可能な継手は、電気コネクタから間隔を置いて設けられている。上述の構成は、米国特許第４，２０４，２９７号明細書に開示された構成よりもユーザにとって組み立てが楽であるが、回転可能な継手とは別個の電気的接続部を設けるのに追加の空間が必要である。
【先行技術文献】
【特許文献】
【０００６】
【特許文献１】米国特許第４，２０４，２９７号明細書
【特許文献２】米国特許第４，１４６，２８３号明細書
【発明の概要】
【発明が解決しようとする課題】
【０００７】
本発明の目的は、表面処理用電気器具であって、ユーザによって表面処理用電気器具の本体に容易に回転可能に且つ電気的に接続でき、既存の構成よりもコンパクトな取り外し可能なヘッドを有する表面処理用電気器具を提供することにある。
【課題を解決するための手段】
【０００８】
本発明によれば、本体と、本体に軸線回りに回転可能に連結されたヘッドとを有する表面処理用電気器具であって、本体及びヘッドは、それぞれ、第１の電気コネクタ及び第２の電気コネクタを備え、第１の電気コネクタと第２の電気コネクタは、本体とヘッドの電気接続をもたらすよう接続可能であり、第１の電気コネクタ及び第２の電気コネクタのうちの一方は、チャネル内を滑って動くことができることを特徴とする表面処理用電気器具が提供される。
【０００９】
滑動可能な電気コネクタを提供することにより、複雑で潜在的に不確実な手段、例えばスリップリングの使用が回避される一方で、ヘッドと本体との間の電気的接続が依然として可能である。さらに、チャネルを設けることにより、第１の電気コネクタか第２の電気コネクタかのいずれかは、ヘッドを本体に対して回転させると、チャネル内を確実に滑って動くことができる。
【００１０】
好ましくは、チャネルは、少なくとも部分的に湾曲している。より好ましくは、チャネルは、少なくとも部分的に弧状である。より好ましくは、チャネルの少なくとも一部分は、チャネルの長さに沿って、軸線から実質的に一定の距離を置いて設けられている。
【００１１】
かかる構成を提供することにより、チャネルをヘッドと本体が互いに対して回転する中心となる回転軸線から間隔を置いて位置することができる。これにより、電気コネクタを回転可能な連結部から遠ざけて配置できるので有利である。
【図面の簡単な説明】
【００１２】
【図１】本発明の直立形真空掃除機を示す図である。
【図２】図１の真空掃除機の幾つかの部分の分解組立て図である。
【図３】図１の真空掃除機の一部を形成する掃除機ヘッドの側面図である。
【図４】第３のＡ−Ａ線に沿って取った図３の掃除機ヘッドの断面図である。
【図５】図３の掃除機ヘッドの側面断面図である。
【図６】図３の掃除機ヘッドの背面図である。
【図７】図３のＢ−Ｂ線に沿って取った図３の掃除機ヘッドの断面図である。
【発明を実施するための形態】
【００１３】
次に、添付の図面を参照して本発明の実施形態を説明する。
【００１４】
本発明の直立形真空掃除機１０が、図１に示されている。真空掃除機１０は、本体１２及び掃除機ヘッド１４を有している。本体１２は、上方に延びて取っ手１８に合体する背骨１６を有している。取っ手１８は、真空掃除機１０を床面全体にわたって操縦するためにユーザによって操作可能である。
【００１５】
分離装置２０が、背骨１６に解除可能に取り付けられている。分離装置２０の内部は、背骨１６に取り付けられたダクト類２２により本体１２と連通している。ダクト類２２は、分離装置２０から出た空気流を運ぶ。図示の実施形態では、分離装置２０は、サイクロン分離器を有するが、これに代えてフィルタ、袋又は種々の公知の分離器具の組合せを用いても良い。分離装置２０がどういうものであるかは、本発明にとって重要ではない。
【００１６】
回転可能な支持部材２４が、本体１２のベースのところに設けられていて、本体１２を床面上に支持している。支持部材２４は、本体１２の一部をなしている２本の支持アーム２６，２８に回転可能に連結されている。支持部材２４は、側方で見て弧状の外面３０を有している。外面３０のこの形状により、真空掃除機１０は、一対の車輪を備えた伝統的な真空掃除機よりも容易に床面全体にわたって操縦することができる。
【００１７】
空気流を真空掃除機１０内に引き込むモータ・ファンユニット（図示せず）が、支持部材２４の内部に設けられている。モータ・ファンユニットは、支持部材２４の外面３０がモータ・ファンユニット回りに回転するよう設けられている。モータ・ファンユニットへの入口は、ダクト類２２と連通状態にある支持アーム２８に形成されている。支持アーム２８とダクト類２２は、分離装置２０からモータ・ファンユニットまでの空気流路を構成している。
【００１８】
直立保管位置（図１に示されている）にあるときに真空掃除機１０を支持するために、本体１２は、スタンド３２を備えている。スタンド３２は、フレーム又は一対の車輪を有し、図１では伸長位置で示されている。スタンド３２は、真空掃除機１０を使用中、操縦できるように引っ込み可能である。適当なスタンドの一例が欧州特許第１８３８１９５号明細書において図示されると共に説明されている。
【００１９】
本体１２は、ヨーク３４を更に有している。ヨーク３４は、２本のアーム３６、３８を有し、これらアームは、支持部材２４の各側で支持アーム２６，２８に枢動可能に連結されている。アーム３６，３８、支持アーム２６，２８及び支持部材２４は、全て、共通軸線Ｘ−Ｘ回りに連結されている。ダクト類が、ヨーク３４の左側のアーム３６内に形成され、かかるダクトは、掃除機ヘッド１４と分離装置２０との間の空気流路となっている。
【００２０】
掃除機ヘッド１４は、コネクタ４０によってヨーク３４に回転可能に連結されている。掃除機ヘッド１４は、上面４２及び下面４４を有している。下面４４は、図５で理解でき、かかる下面は、床面の方に向くよう配置されており、この下面には吸引開口部４６が形成されている。吸引開口部４６は、掃除機ヘッド１４の実質的に幅全体にわたって延びている。吸引導管４８が、掃除機ヘッド１４内に形成されており、この吸引導管は、上面４２及び下面４４により画定されている。吸引導管４８は、吸引開口部４６とヨーク３４のアーム３６内のダクトとの間の連通路を形成している。
【００２１】
掃除機ヘッド１４及びコネクタ４０は、図２〜図７に詳細に示されている。図２に示すように、掃除機ヘッド１４は、本体１２から取り外し可能である。コネクタ４０は、本体１２に取り付けられた第１の部品５０、掃除機ヘッド１４に取り付けられた第２の部品５２及び取り外し可能な連結部材５４を有している。連結部材５４をコネクタ４０の残部から取り外すことにより、掃除機ヘッド１４と本体１２を以下に説明するように互いに分離することができる。
【００２２】
第１の部品５０は、本体１２に取り付けられており、この第１の部品は、円筒形部分５６を有し、この円筒形部分は、中空であり、ヨーク３４の左側のアーム３６内のダクトへの入口を形成している。４つの壁５８が円筒形部分５６に設けられており、これらの壁は、この円筒形部分の外周部の一部に沿って延びている。４つの壁５８は、それぞれ２つの直径方向反対側の互いに平行な壁５８から成る２つの群をなして配置され、各群は、これらの間に溝６０を形成している。溝６０は、円筒形部分５６の外周部の一部に沿って延びている。これは、図２に最も良く示されている。
【００２３】
第２の部品５２は、掃除機ヘッド１４に取り付けられており、この第２の部品は、吸引導管４８の一端部のところに設けられた円筒形部分６２を有している。円筒形部分６２は、第１の部品５０の円筒形部分５６を受け入れるよう寸法決めされている。２つの細長い開口部６４が、円筒形部分６２の側部に形成されている。これは、図２及び図４で最も明確に理解できる。
【００２４】
連結部材５４は、Ｕ字形であり、この連結部材は、内面６６及び外面６８を有している。フランジ７０は、内面６６に垂直に内方に突き出ている。外面６８は、湾曲しており、真空掃除機１０の外面の形状と一致するよう形作られている。換言すると、連結部材５４の外面６８は、連結部材５４を掃除機ヘッド１４に取り付けると、真空掃除機１０の外面の一部をなす。これは図３で理解でき、図３は、連結部材５４を掃除機ヘッド１４に取り付けた定位置で示している。連結部材５４は、弾性であり、この連結部材は、フランジ７０相互間の分離度を増減できるように撓むことができる。これにより、連結部材５４を掃除機ヘッド１４にスナップ嵌めすることができる。
【００２５】
図４及び図５は、本体１２及び掃除機ヘッド１４の部分断面図であり、コネクタ４０を詳細に示している。第１の部品５０は、円筒形部分５６が円筒形部分６２内に収納されるよう第２の部品５２内に受け入れられている。第１の部品５０と第２の部品５２を互いに対して正確に配置すると、各細長い開口部６４は、溝６０の各々とそれぞれ整列する。
【００２６】
連結部材５４は、第１の部品５０と第２の部品５２を互いに連結すると共にこれらを互いに固定している。連結部材５４に設けられた各フランジ７０は、細長い開口部６４の各々をそれぞれ貫通して溝６０の各々の中にそれぞれ延びている。これは、図４に示されている。連結部材５４の弾性により、フランジ７０は、スナップ嵌め方式で溝６０内に付勢されている。この形態では、第１の部品５０及び第２の部品５２は、軸線Ｙ−Ｙ（図４及び図５）回りに自由に回転することができるが、フランジ７０と溝６０の嵌合によりこれらを互いに切り離すことはできない。換言すると、第１の部品５０と第２の部品５２は、連結部材５４が第１の部品５０と第２の部品５２を互いに連結しているとき、軸線Ｙ−Ｙに沿って互いに対して動くのが阻止される。
【００２７】
各々がフランジ７０と協働する２つの溝６０が設けられていることは、円筒形部分５６，６２の周囲に沿う溝６０相互間の空間を真空掃除機１０の追加の部品に使えることを意味しており、これについては後で説明する。
【００２８】
上面４２は、連結部材に５４に隣接して設けられた切欠き７２を有している。これは、図２及び図５に最も明確に示されている。切欠き７２は、ユーザが適当な道具、例えばコイン又はねじ回しを切欠き７２に挿入し、連結部材５４を梃子の作用で掃除機ヘッド１４から離すことにより連結部材５４を掃除機ヘッド１４から取り外すことができるように設けられている。連結部材５４の弾性により、連結部材５４は、梃子の作用により掃除機ヘッド１４から離されたときに撓んでスナップ動作により定位置を外れるよう構成されている。
【００２９】
図５に示すように、回転可能なブラシバー７４が、吸引導管４８内に設けられている。ブラシバー７４は、ブラシバーモータ（図示せず）によって駆動され、このブラシバーモータは、真空掃除機１０の本体１２への電気接続部を有している。電気接続部は、ヨーク３４に設けられた第１の電気コネクタ７６及び掃除機ヘッド１４に設けられた第２の電気コネクタ７８から成っている。第１の電気コネクタ７６及び第２の電気コネクタ７８は、図５に示されており、これら電気コネクタ７６，７８は、それぞれ、コネクタ４０の第１の部品５０及び第２の部品５２の下に配置されている。第１の電気コネクタ７６は、第１の部品５０に対して固定されており、第１の部品５０の周囲に沿う溝６０相互間に配置されている。第１の電気コネクタ７６と第２の電気コネクタ７８は、周知である標準の雄型／雌型結合方式で互いに接続される。
【００３０】
図６及び図７は、掃除機ヘッド１４の背面図である。第２の電気コネクタ７８は、湾曲したチャネル８０内に設けられており、この中で自由に動くことができる。湾曲チャネル８０は、２つの細長い開口部６４相互間で円筒形部分６２の周囲に設けられている。チャネル８０は、弧状であり、チャネル８０の長さに沿って、軸線Ｙ−Ｙから実質的に一定の距離を置いて位置している。これは、掃除機ヘッド１４を軸線Ｙ−Ｙ回りに本体１２に対して回転させると、第２の電気コネクタ７８がチャネル８０内をスムーズに滑って動くことができるということを意味している。第２の電気コネクタ７８は、掃除機ヘッド１４の残部に対してチャネル８０内で動くことができる。第２の電気コネクタ７８は、電線８２によりブラシバーモータに電気的に接続されている。電線８２は、第２の電気コネクタ７８と一緒に動くことができ、かかる電線は、これが第２の電気コネクタ７８の運動を妨げないほど十分に長い。
【００３１】
掃除機ヘッド１４を本体１２に取り付けると（図５に示されている）、第２の電気コネクタ７８は、第１の電気コネクタ７６に連結されると共にこれに対して固定されたままの状態となる。したがって、掃除機ヘッド１４を軸線Ｙ−Ｙ回りに本体１２に対して回転させると、第２の電気コネクタ７８は、湾曲チャネル８０に沿って掃除機ヘッド１４に対して動くが、本体１２に対して固定されたままである。
【００３２】
上述した構成は、スティックバキューム（スティック形真空掃除機）と通称されている小型の直立形真空掃除機に特に適している。スティックバキュームは、一般に、従来型の直立形真空掃除機よりもサイズが非常に小さい。上述の構成により、コネクタは、小さいが頑丈であり、しかも切り離しが容易である。それ故、小型コネクタを設けることにより、真空掃除機のサイズを減少させることができる。
【００３３】
使用にあたり、ユーザは、真空掃除機１０が図１に示す保管形態にある状態で操作を開始する。保管形態では、掃除機ヘッド１４は、本体１２に取り付けられ、背骨１６は、直立した状態にあり、スタンド３２は、伸長位置にある。真空掃除機１０を使用するため、ユーザは、真空掃除機１０をオンに切り換えてモータ・ファンユニットが吸引開口部４６を介して汚れた空気流を真空掃除機１０内に引き込むと共にブラシバーがブラシバー７４を回転させるようにする。
【００３４】
ブラシバー７４は、床面を掃きまわって床面から汚れ及びほこりを落とす。この汚れ及びほこりは、汚れた空気流に乗って吸引開口部４６から吸引導管４８を通り、ダクト３６に沿って分離装置２０内に運ばれる。汚れ及びほこりは、分離装置２０によって空気流から分離されてこの中に保持される。次に、清浄になった空気は、分離装置２０からダクト類２２に沿ってモータ前置フィルタ（図示せず）を通り、モータ・ファンユニットを横切って冷却され、そしてモータ後置フィルタ（図示せず）を通り、その後、真空掃除機１０から排気される。
【００３５】
真空掃除機１０を保管位置から使用中位置に移すため、ユーザは、スタンド３２を引っ込める必要がある。次に、ユーザは、取っ手１８を操作して真空掃除機１０を掃除されるべき床面全体にわたって操縦できる。真空掃除機１０の方向を新たな方向に変えるため（例えば、家具又は壁周りを掃除するため）、ユーザは、取っ手１８をひねり、それにより、本体１２を回転させる。本体１２を回転させると、第１の部品５０と第２の部品５２は、軸線Ｙ−Ｙ回りに互いに対して回転し、その結果、掃除機ヘッド１４は、ユーザが取っ手１８をひねっても床面上に位置したままであるようになる。
【００３６】
第１の部品５０と第２の部品５２を互いに対して回転させると、円筒形部分５６は、円筒形部分６２内で回転する。連結部材５４に形成されたフランジ７０の各々は、溝６０の各々中をそれぞれ滑って動き、それにより第１及び第２の部品５０，５２が互いに分離状態になるのを阻止した状態で回転運動が可能になる。換言すると、連結部材５４は、掃除機ヘッド１４を本体１２に連結すると共に固定し、それにより、掃除機ヘッド１４が離脱状態になるのを阻止するが、掃除機ヘッド１４と本体１２の自由回転を可能にする。フランジ７０は、溝６０内でスムーズに動いて第１の部品５０と第２の部品５２との間の回転に対する摩擦抵抗がごく僅かにあるようにする。これにより、真空掃除機１０は、新たな方向に向きを変えるのが容易になる。
【００３７】
掃除機ヘッド１４内に設けられたブラシバーモータは、第１の電気コネクタ７６、第２の電気コネクタ７８及び電線８２相互間の接続により本体１２に電気的に接続されている。さらに、掃除機ヘッド１４を本体１２に対して回転させると、第２の電気コネクタ７８は、チャネル８０内で動くことになる。電線８２が第２の電気コネクタ７８と一緒に動くことができるので、本体１２を掃除機ヘッド１４に対して回転させた場合でも、本体１２とブラシバーモータとの間の電気的接続状態が維持される。この構成は、サイズが小さく且つ実施が簡単であり、しかも、例えば回転可能な接続部に電流を通すためのスリップリングを用いる公知の構成よりも必要とする部品数が少ない。
【００３８】
ユーザが掃除を終えると、真空掃除機１０をオフに切り換える。真空掃除機１０を図１に示すような保管形態に戻すため、ユーザは、取っ手１８及び背骨１６を垂直位置に押して戻す。この作用により、スタンド３２が伸長する。いまや、真空掃除機１０は、図１に示す形態に戻っている。
【００３９】
掃除機ヘッド１４を掃除、保管又は持ち運びのために取り外すことが望ましい場合がある。これを行うため、ユーザは、適当な工具（例えば、コイン又はねじ回し）を切欠き７２内に挿入してレバーの作用で連結部材５４を上方に起こす。連結部材５４及び切欠き７２は、真空掃除機１０の外面に設けられているので、これらは、すぐに見えてこれらへの接近が容易である。連結部材５４を上方に動かすと、連結部材５４の外面６８は、掃除機ヘッド１４の上面４２及びヨーク３４ともはや同じ高さにはない。したがって、ユーザは連結部材を容易に掴んでこれを取り外すことができる。さらに、連結部材５４の弾性により、連結部材５４は、梃子の作用で掃除機ヘッド１４から離されると、撓んでスナップ動作により定位置から外れる。
【００４０】
連結部材５４を取り外すと、フランジ７０を溝６０から取り出す。したがって、第１の部品５０と第２の部品５２を互いに分離することができ、掃除機ヘッド１４を本体１２から取り外すことができる。
【００４１】
掃除機ヘッド１４をこのようにして取り外すと、第１の電気コネクタ７６と第２の電気コネクタ７８を互いに引き離す。これにより、掃除機ヘッド１４と本体１２との間の電気的接続状態が切られ、電撃が阻止されると共に掃除機ヘッド１４を真空掃除機１０の残部とは別個にクリーニングし、保管し又は包装することができる。
【００４２】
本発明は、上述の詳細な説明には限定されない。当業者には変形例が明らかである。例えば、ヘッドは、本体から取り外し可能である必要はない。他の形態及び構成を用いることができ、例えば、第２の電気コネクタを第２の電気コネクタから切り離すことによって、ブラシバーモータは、ヘッドから取り外し可能であると共に表面処理用電気器具の残部から切り離し可能であっても良い。
【００４３】
他形態のコネクタを使用することができる。第１の部品と第２の部品は互いに連結可能である必要はない。さらに、連結部材を設ける必要はない。加うるに、コネクタは、流体の流れを運ぶよう構成されると共に配置される必要はない。別個の流体導管、例えばホースをコネクタとは別個に設けることができる。
【００４４】
第２の電気コネクタは、ヘッドに対して滑動可能である必要はない。これに代えて、第１の電気コネクタは、本体に設けられたチャネル内で滑動可能であって良く、第２の電気コネクタは、ヘッドに対して固定されたままであって良い。
【００４５】
加うるに、チャネルは、湾曲している必要はない。他の構成、例えば真っ直ぐなチャネル、傾斜したチャネル又は切欠き付きチャネルを用いることができる。
【００４６】
本発明に関連する好ましい態様として、以下のものをあげることができる。
[１]  本体と、前記本体に軸線回りに回転可能に連結されたヘッドとを有する表面処理用電気器具であって、前記本体及び前記ヘッドは、それぞれ、第１の電気コネクタ及び第２の電気コネクタを備え、前記第１の電気コネクタと前記第２の電気コネクタは、前記本体と前記ヘッドの電気接続をもたらすよう接続可能であり、前記第１の電気コネクタ及び前記第２の電気コネクタのうちの一方は、チャネル内を滑って動くことができる、表面処理用電気器具。
[２]  前記チャネルは、前記ヘッドに設けられ、前記第２の電気コネクタは、前記チャネル内を滑って動くことができる、上記[１]記載の表面処理用電気器具。
[３]  前記チャネルは、少なくとも部分的に湾曲している、請求項１又は２記載の表面処理用電気器具。
[４]  前記チャネルは、少なくとも部分的に弧状である、上記[３]記載の表面処理用電気器具。
[５]  前記チャネルは、全体が弧状である、上記[４]記載の表面処理用電気器具。
[６]  前記チャネルの少なくとも一部分は、前記チャネルの長さに沿って、前記軸線から実質的に一定の距離を置いたところに位置している、上記[４]又は[５]記載の表面処理用電気器具。
[７]  前記ヘッドは、前記本体に取り外し可能に連結されている、上記[１]〜[６]のうちいずれか一に記載の表面処理用電気器具。
[８]  前記ヘッドと前記本体は、前記本体に設けられた第１の部品及び前記ヘッドに設けられた第２の部品を有するコネクタによって互いに取り外し可能に連結されており、前記第１の部品と前記第２の部品は、互いに連結可能であると共に前記軸線回りに互いに対して回転できる、上記[７]記載の表面処理用電気器具。
[９]  前記第１の電気コネクタは、前記コネクタの前記第１の部品に対して固定されている、上記[８]記載の表面処理用電気器具。
[１０]  前記第２の電気コネクタは、前記コネクタの前記第２の部品に対して動くことができる、上記[８]又は[９]記載の表面処理用電気器具。
[１１]  前記第１の電気コネクタ及び前記第２の電気コネクタは、前記コネクタの前記第１の部品及び前記第２の部品にそれぞれ隣接して位置している、上記[８]、[９]又は[１０]記載の表面処理用電気器具。
[１２]  前記チャネルは、前記コネクタの前記第２の部分に隣接して設けられている、上記[８]〜[１１]のうちいずれか一に記載の表面処理用電気器具。
[１３]  前記コネクタの前記第２の部品は、前記第１の部品を受け入れるよう構成されると共に配置された円筒形部分を有し、前記チャネルは、前記円筒形部分の周囲に設けられている、上記[１２]記載の表面処理用電気器具。
[１４]  前記コネクタは、流体の流れを前記ヘッドから前記本体まで運ぶよう構成されていると共に配置されている、上記[８]〜[１３]のうちいずれか一に記載の表面処理用電気器具。
[１５]  前記ヘッドは、モータを更に有し、前記第２の電気コネクタは、前記モータに連結されている、上記[１]〜[１４]のうちいずれか一に記載の表面処理用電気器具。
[１６]  前記ヘッドは、吸引開口部及び前記吸引開口部に隣接して設けられたブラシバーを更に有し、前記ブラシバーは、前記モータによって駆動される、上記[１５]記載の表面処理用電気器具。
[１７]  前記本体は、前記本体を床面上に支持する回転可能な支持部材を更に有し、前記回転可能な支持部材は、弧状面を有する、上記[１]〜上記[１６]のうちいずれか一に記載の表面処理用電気器具。
[１８]  真空掃除機の形態をした上記[１]〜[１７]のうちいずれか一に記載の表面処理用電気器具。
[１９]  直立形真空掃除機の形態をした上記[１８]記載の表面処理用電気器具。
【００４７】
「表面処理用電気器具」という用語は、広い意味を有することが意図されており、表面を何らかの仕方で掃除し又は処理するよう表面上を走行するヘッドを備えた広範な機械を含む。かかる表面処理用電気器具としては、とりわけ、吸引力を表面に及ぼして物質を表面から吸引する機械、例えば真空掃除機（乾式、湿式及び湿／乾式）並びに物質を表面に付着させ又は塗る機械、例えば研磨／ワックス仕上げ機、圧力洗浄機、地面マーク付け機及び洗剤利用洗浄機が挙げられる。表面処理用電気器具は又、芝刈り機及び他の切断機を含む。
【符号の説明】
【００４８】
１０  表面処理用電気器具
１２  本体
１４  掃除機ヘッド
１６  背骨
１８  取っ手
２０  分離装置
２２  ダクト
２４  支持部材
２６，２８  支持アーム
３２  スタンド
３４  ヨーク
４０  コネクタ
４６  吸引開口部
５０  第１の部品
５２  第２の部品
５４  連結部材
７６，７８  電気コネクタ
８０  チャネル
【図１】
0005190647.tif 000002
【図２】
0005190647.tif 000003
【図３】
0005190647.tif 000004
【図４】
0005190647.tif 000005
【図５】
0005190647.tif 000006
【図６】
0005190647.tif 000007
【図７】
0005190647.tif 000008